(57)【要約】  本発明は、ユーザのクライアント装置によって３次元仮想環境をブラウズする方法に関する。この３次元仮想環境は、アプリケーションサーバ上に展開され、３次元仮想環境は、３次元オブジェクト上に表示されるテクスチャとともに、３次元オブジェクトを含む。ユーザは、３次元仮想環境内ではアバターで表される。この方法は、アプリケーションサーバによってオブジェクトとアバターとの間の距離を決定し、距離およびオブジェクトの参照に基づいて、オブジェクト上に適用するテクスチャの参照をさらに決定し、続いて、テクスチャの参照に基づいて、オブジェクトに適用するテクスチャを決定するステップをさらに含む。
2013513145.tif 000002
【特許請求の範囲】
【請求項１】
ユーザのクライアント装置によって３次元仮想環境（３ＤＶＥ）をブラウズする方法であって、前記３次元仮想環境が、アプリケーションサーバ（３Ｄ−ＡＳ）上に展開され、前記３次元仮想環境が、３次元オブジェクト上に表示されるテクスチャを有する前記３次元オブジェクトを含み、前記ユーザが、前記３次元仮想環境内ではアバターで表され、前記方法が、
ａ．前記アプリケーションサーバ（３Ｄ−ＡＳ）によって、前記オブジェクトと前記アバターの間の距離を決定するステップと、
ｂ．前記距離および前記オブジェクトの参照に基づいて、前記オブジェクトに適用するテクスチャの参照を決定するステップと、
ｃ．前記テクスチャの前記参照に基づいて、前記オブジェクト上に適用するための前記テクスチャを決定するステップとをさらに含むことを特徴とする、方法。
【請求項２】
前記方法が、前記テクスチャを取り出し、前記テクスチャを前記３次元オブジェクト（３ＤＯ）上に適用するステップをさらに含むことを特徴とする、請求項１に記載の３次元仮想環境（３ＤＶＥ）をブラウズする方法。
【請求項３】
ユーザのクライアント装置によって３次元仮想環境（３ＤＶＥ）をブラウズするシステムであって、前記３次元仮想環境（３ＤＶＥ）が、アプリケーションサーバ上に展開され、前記３次元仮想環境（３ＤＶＥ）が、３次元オブジェクト上に表示されるテクスチャを有する前記３次元オブジェクトを含み、前記ユーザが、前記３次元仮想環境（３ＤＶＥ）内ではアバターで表され、前記システムが、
ａ．前記アバターと前記オブジェクト（３ＤＯ）の間の距離を算出するように構成された距離算出モジュール（ＤＣＰ）と、
ｂ．前記距離および前記３次元オブジェクト（３ＤＯ）の参照に基づいて、前記オブジェクトに適用するテクスチャの参照を決定するように構成された動的テクスチャ参照決定モジュール（ＤＴＲＤＰ）と、
ｃ．前記テクスチャの前記参照に基づいて、前記３次元オブジェクト上に適用するための前記テクスチャを決定するように構成されたテクスチャ決定モジュール（ＤＴＤＰ）とをさらに備えることを特徴とする、システム。
【請求項４】
請求項３に記載のシステムにおいて使用するためのアプリケーションサーバ（３Ｄ−ＡＳ）であって、前記アプリケーションサーバ（３Ｄ−ＡＳ）が、
ａ．前記アバターと前記３次元オブジェクト（３ＤＯ）の間の距離を算出するように構成された距離算出部（ＤＣＰ）と、
ｂ．前記距離および前記３次元オブジェクトの参照に基づいて、テクスチャの参照を要求するように構成された動的テクスチャ参照要求部（ＲＲＱＰ）と、
ｃ．前記テクスチャの前記参照に基づいて、前記３次元オブジェクト上に適用するための前記動的テクスチャを受信するように構成された動的テクスチャ受信部（ＤＴＲＰ）とを備えることを特徴とする、アプリケーションサーバ。
【請求項５】
前記アプリケーションサーバ（３Ｄ−ＡＳ）が、
ｄ．前記テクスチャ参照決定装置（３ＤＯ−ＴＲＤＤ）から受信された前記テクスチャ参照に基づいて、前記動的テクスチャを要求するように構成された動的テクスチャ要求部（ＤＴＲＱＰ）をさらに備えることを特徴とする、請求項４に記載のアプリケーションサーバ（３Ｄ−ＡＳ）。
【請求項６】
請求項３に記載のシステムにおいて使用するためのテクスチャ参照決定装置（３ＤＯ−ＴＲＤＤ）であって、前記テクスチャ参照決定装置（３ＤＯ−ＴＲＤＤ）が、前記距離および前記３次元オブジェクトの参照に基づいて、前記オブジェクトに適用するテクスチャの参照を決定するように構成された前記動的テクスチャ参照決定部（ＤＴＲＤＰ）を備えることを特徴とする、テクスチャ参照決定装置（３ＤＯ−ＴＲＤＤ）。
【請求項７】
前記テクスチャ参照決定装置（３ＤＯ−ＴＲＤＤ）が、前記テクスチャの前記参照を前記アプリケーションサーバ（３Ｄ−ＡＳ）に送信するように構成された参照送信部（ＲＳＰ）をさらに備えることを特徴とする、請求項６に記載のテクスチャ参照決定装置（３ＤＯ−ＴＲＤＤ）。
【請求項８】
前記テクスチャ参照決定装置（３ＤＯ−ＴＲＤＤ）が、前記テクスチャの前記参照を前記テクスチャ貯蔵装置（３ＤＯ−ＶＳ）に送信するように構成された参照送信部（ＲＳＰ）をさらに備えることを特徴とする、請求項６に記載のテクスチャ参照決定装置（３ＤＯ−ＴＲＤＤ）。
【請求項９】
請求項３に記載のシステムにおいて使用するためのテクスチャ貯蔵庫（３ＤＯ−ＴＶ）であって、前記テクスチャ貯蔵庫が、前記テクスチャの前記参照に基づいて、前記３次元オブジェクトに適用するための前記テクスチャを決定するように構成された前記テクスチャ決定部（ＤＴＤＰ）を備えることを特徴とする、テクスチャ貯蔵庫（３ＤＯ−ＴＶ）。
【請求項１０】
前記テクスチャ貯蔵庫（３ＤＯ−ＴＶ）が、前記テクスチャ参照決定装置（３ＤＯ−ＴＲＤＤ）から前記動的テクスチャ参照を受信するように構成された動的テクスチャ参照要求受信部（ＤＴＲＱＲＰ）をさらに備えることを特徴とする、請求項９に記載のテクスチャ貯蔵庫（３ＤＯ−ＴＶ）。
【請求項１１】
前記テクスチャ貯蔵庫（３ＤＯ−ＴＶ）が、前記アプリケーションサーバ（３Ｄ−ＡＳ）から前記動的テクスチャ参照を受信するように構成された動的テクスチャ参照要求受信部（ＤＴＲＱＲＰ）をさらに備えることを特徴とする、請求項９に記載のテクスチャ貯蔵庫（３ＤＯ−ＴＶ）。
【請求項１２】
前記テクスチャ貯蔵庫（３ＤＯ−ＴＶ）が、前記動的テクスチャを前記アプリケーションサーバ（３Ｄ−ＡＳ）に転送するように構成された動的テクスチャ転送部（ＤＴＦＰ）をさらに備えることを特徴とする、請求項９に記載のテクスチャ貯蔵庫（３ＤＯ−ＴＶ）。
【発明の詳細な説明】
【技術分野】
【０００１】
本発明は、請求項１のプリアンブルに記載する、クライアント装置によって３次元仮想環境をブラウズする方法、請求項３のプリアンブルに記載する関連システム、および請求項４のプリアンブルに記載する関連３次元アプリケーションサーバに関する。
【背景技術】
【０００２】
３次元仮想環境をブラウズするこのような方法、関連システムおよび３次元アプリケーションサーバが、当該分野では既によく知られている。実際、３次元環境（たとえば、ゲームおよび仮想世界）では現在、このような３次元仮想環境において、アバター、すなわちユーザの仮想表現がオブジェクトから比較的離れて位置決めされると、漠然としたテクスチャ、すなわち画像が、そのオブジェクトの上に置かれる。ユーザのアバターが、オブジェクトに近づき、または接近すると、より高解像度のテクスチャがオブジェクトに適用され、より高解像度のテクスチャは、より細部を含む。
【０００３】
このような３次元オブジェクトに適用されるテクスチャ／情報は、全く豊富ではなく、このような３Ｄ次元オブジェクトに適用されるテクスチャの変化は、比較的遅い。
【０００４】
さらに、このような仮想環境において３次元オブジェクトの上に示されるテクスチャ／情報は、静的な情報のみである。ユーザのアバターがオブジェクトに近づくと、同様の画像が計算されるが、異なるのは、画像のより細部が計算されることだけである。
【発明の概要】
【発明が解決しようとする課題】
【０００５】
本発明の目的は、上記知られているタイプの３次元仮想環境をブラウズする方法を提供することであるが、３次元オブジェクトに適用されるテクスチャは動的である。
【課題を解決するための手段】
【０００６】
本発明によると、この目的は、請求項１に記載する方法、請求項３に記載するシステム、請求項４に記載する３次元アプリケーションサーバ、請求項６に記載する関連テクスチャ参照決定装置および請求項９に記載する関連テクスチャ貯蔵庫によって達成される。
【０００７】
このように、３次元仮想環境をブラウズしている間に、最初に、ユーザのアバターとオブジェクトとの間の距離を３次元アプリケーションサーバで決定することによって、続いて、決定された距離とともにオブジェクトの参照に基づいて、オブジェクトに適用するテクスチャの参照を決定し、最後に、前もって決定された、テクスチャの参照に基づいて、オブジェクトに適用するテクスチャを決定する。
【０００８】
テクスチャの参照は、３次元オブジェクトに適用するための、別のテーマ、内容または他の任意の関連する／関連しないテクスチャをもつ、別の、異なる、または代替テクスチャを指すように、動的に変更され得る。
【０００９】
本発明の別の独特の特徴が、請求項２に記載される。
【００１０】
続いて、オブジェクトならびにユーザのアバターとオブジェクトとの間の距離に基づいて決定された動的テクスチャが取得され、３次元オブジェクトに適用される。
【００１１】
本発明の別の独特の特徴が、請求項５に記載される。
【００１２】
アプリケーションサーバは、動的テクスチャ要求部を用いて、テクスチャ参照決定装置から受信されたテクスチャ参照に基づく動的テクスチャを要求することができる。
【００１３】
本発明の別の独特の特徴が、請求項７および請求項１１に記載される。
【００１４】
テクスチャ参照決定装置は、参照送信部を用いて、前記アプリケーションサーバにテクスチャの参照を送信するように構成される。
【００１５】
本発明の別の独特の特徴が、請求項８および請求項１０に記載される。
【００１６】
テクスチャ参照決定装置は代替的には、テクスチャの参照を、テクスチャ貯蔵装置に送信することができる。
【００１７】
特許請求の範囲で使われる「備える」という用語は、その後に列挙される手段に制限されるものとして解釈されるべきでないことに留意されたい。したがって、「手段ＡおよびＢを備える装置」という表現の範囲は、構成要素ＡおよびＢのみからなる装置に限定されるべきでない。この表現は、本発明に関して、装置の、単に該当する構成要素がＡおよびＢであることを意味する。
【００１８】
同様に、やはり特許請求の範囲で使われる「結合される」という用語は、直接接続のみに制限されるものとして解釈されるべきでないことに留意されたい。したがって、「装置Ｂに結合された装置Ａ」という表現の範囲は、装置Ａの出力が装置Ｂの入力に直接接続される装置またはシステムに限定されるべきでない。この表現は、Ａという出力と、Ｂという入力との間に、他の装置または手段を含む経路であってもよい経路が存在することを意味する。
【００１９】
以下の実施形態の説明を添付の図面とともに参照することによって、本発明の上記および他の目的および特徴が、より明らかになり、本発明自体が、最もよく理解されよう。
【図面の簡単な説明】
【００２０】
【図１】本発明による、３次元仮想環境３ＤＶＥをブラウズするシステムの第１の実施形態の機能表現を示す図である。
【図２】本発明による、３次元仮想環境３ＤＶＥをブラウズするシステムの第２の実施形態の機能表現を示す図である。
【発明を実施するための形態】
【００２１】
以下の段落では、図１の図解を参照し、システムの実装形態が記載されている。第２段落では、言及される要素の間のすべての接続が定義される。
【００２２】
続いて、図１に提示される、言及するシステムのすべての関連する機能手段が記載され、その後に、すべての相互接続の記述が続く。その後に続く段落では、通信システムの実際の実行が記載される。
【００２３】
本発明による人工物管理システムの第１の本質的要素は、３次元仮想環境をブラウズする、ユーザのクライアント装置である。この３次元仮想環境３ＤＶＥは、アプリケーションサーバ３ＤＯ−ＡＳ上に展開される。この３次元仮想環境３ＤＶＥは、３次元オブジェクト３ＤＯ上に表示されるテクスチャを有する、少なくとも１つの３次元オブジェクトを含む。３次元仮想環境をブラウズするユーザは、アバターによって表される、ここで、アバターとは、３次元環境または世界でのユーザのデジタル表現である。
【００２４】
さらに、３次元オブジェクトとユーザのアバターとの間の距離とともに、３次元オブジェクトの参照に基づいて、前記オブジェクトに適用するテクスチャの参照を決定することができるテクスチャ参照決定装置３ＤＯ−ＴＲＤＤ、ならびにテクスチャ参照決定装置３ＤＯ−ＴＲＤＤによって決定されたテクスチャの参照に基づいて、前記オブジェクトに適用するテクスチャを決定することができるテクスチャ貯蔵庫３ＤＯ−ＴＶがある。
【００２５】
クライアント装置（図示せず）は、インターネット接続またはイントラネット、ブルートゥース（登録商標）、Ｗｉｆｉ、Ｗｉｍａｘ、３Ｇネットワークなど、他の適切な任意の接続を介して、アプリケーションサーバ３Ｄ−ＡＳに結合され得る。
【００２６】
アプリケーションサーバ３Ｄ−ＡＳは、インターネット接続、イントラネット接続または他の任意の有線もしくは無線接続を介して、テクスチャ参照決定装置３ＤＯ−ＴＲＤＤおよびテクスチャ貯蔵庫３ＤＯ−ＴＶ両方に結合され得る。有線接続は、ＵＳＢ、Ｆｉｒｅｗｉｒｅ、シリアルポート、イーサネット（登録商標）、ファイバまたは他の任意の高速接続でよい。無線接続技術は、Ｗｉｆｉ、Ｗｉｍａｘ、ブルートゥース（登録商標）、赤外線、３Ｇ、ＬＴＥまたは他の任意の高速無線接続を譲歩する。
【００２７】
アプリケーションサーバ３Ｄ−ＡＳは第１に、ユーザのアバターと３次元オブジェクト３ＤＯとの間の距離を算出することができる距離算出部ＤＣＰ、ユーザのアバターと３次元オブジェクトとの間の距離に基づくテクスチャの参照とともに、オブジェクト自体を識別する３次元オブジェクトの参照を要求することができる動的テクスチャ参照要求部ＲＲＱＰ、テクスチャ参照決定装置３ＤＯ−ＴＲＤＤから３次元オブジェクトの参照を受信することができる参照受信部ＲＲＰ、受信された参照（複数可）を処理し、３Ｄオブジェクトに適用される予定の所望の参照を算出／決定するように構成された処理部ＰＲＯＣを備える。
【００２８】
さらに、アプリケーションサーバ３Ｄ−ＡＳは、前記動的テクスチャ参照決定装置３ＤＯ−ＴＲＤＤから受信されたテクスチャ参照に基づく動的テクスチャを要求するように構成された動的テクスチャ要求部ＤＴＲＱＰと、前記テクスチャの前記参照に基づいて、前記３次元オブジェクトに適用する動的テクスチャを受信するように構成された動的テクスチャ受信部ＤＴＲＰとを備える。最後に、アプリケーションサーバ３Ｄ−ＡＳは、受信されたテクスチャをオブジェクトに適用するように構成されたテクスチャ適用部ＴＡＰを含む。受信されたテクスチャはここでは、ユーザのアバターと３次元オブジェクトとの間の距離とともに、オブジェクト参照によって識別される、オブジェクトおよびオブジェクトのタイプに基づく。
【００２９】
アプリケーションサーバ３Ｄ−ＡＳの動的テクスチャ参照要求部ＲＲＱＰは、アプリケーションサーバ３Ｄ−ＡＳの入力端末でもある入力端末を有する。動的テクスチャ参照要求部ＲＲＱＰは、距離算出部ＤＣＰにさらに結合される。
【００３０】
参照受信部ＲＲＰは、アプリケーションサーバ３Ｄ−ＡＳの入力端末でもある入力端末を有する。参照受信部ＲＲＰは、処理部ＰＲＯＣにさらに結合される。処理部は、アプリケーションサーバ３Ｄ−ＡＳの出力端末でもある出力端末を有する動的テクスチャ要求部ＤＴＲＱＰにさらに結合される。
【００３１】
動的テクスチャ受信部ＤＴＲＰは、アプリケーションサーバ３Ｄ−ＡＳの入力端末でもある入力端末を有し、テクスチャ適用部ＴＡＰにさらに結合される。
【００３２】
テクスチャ参照決定装置３ＤＯ−ＴＲＤＤは第１に、オブジェクトの参照とともに距離に基づいてテクスチャの参照を決定するための要求を受信することができる参照決定要求受信部ＲＲＱＲＰと、さらに、距離および３次元オブジェクトの参照に基づいて、３次元オブジェクトに適用するためのテクスチャの参照を決定するように構成された動的テクスチャ参照決定部ＤＴＲＤＰとを備える。テクスチャ参照決定装置３ＤＯ−ＴＲＤＤは、関連づけられたオブジェクト参照および距離または距離範囲を有する参照のリストを含むテクスチャ参照保持部ＴＲＨＰをさらに所有する。このテクスチャ参照保持部ＴＲＨＰは、データベースまたは他のデータベース等価技術として実装してもよいであろう。動的テクスチャ参照決定部ＤＴＲＤＰは、距離および３次元オブジェクトの参照に基づいて、３次元オブジェクトに適用されるべきテクスチャの参照を決定する。テクスチャ参照決定装置３ＤＯ−ＴＲＤＤは、決定されたテクスチャの参照をアプリケーションサーバ３Ｄ−ＡＳに送信するように構成された参照送信部ＲＳＰをさらに備える。
【００３３】
テクスチャ参照決定装置３ＤＯ−ＴＲＤＤの決定要求受信部ＲＲＱＲＰは、テクスチャ参照決定装置３ＤＯ−ＴＲＤＤの入力端末でもある入力端末を有する。決定要求受信部ＲＲＱＲＰは、動的テクスチャ参照決定部ＤＴＲＤＰにさらに結合され、ＤＴＲＤＰはテクスチャ参照保持部ＴＲＨＰにさらに結合される。
【００３４】
動的テクスチャ参照決定部ＤＴＲＤＰは、参照送信部ＲＳＰにさらに結合され、ＲＳＰは、テクスチャ参照決定装置３ＤＯ−ＴＲＤＤの出力端末でもある出力端末を有する。
【００３５】
テクスチャ参照にそれぞれが関連づけられた、３次元オブジェクトに適用するテクスチャを保持するテクスチャ貯蔵庫３ＤＯ−ＴＶは、以下の部分を備える：
アプリケーションサーバ３Ｄ−Ａから動的テクスチャ参照を受信するように構成された動的テクスチャ参照要求受信部ＤＴＲＱＲＰと、前記テクスチャの前記参照に基づいて、前記３次元オブジェクトに適用するテクスチャを決定することができるテクスチャ決定部ＤＴＤＰと、関連づけられたテクスチャを有する参照のリストを含むテクスチャ保持部ＴＨＰとである。このテクスチャ保持部ＴＨＰは、データベースまたは他のデータベース等価技術として実装してよいであろう。
【００３６】
テクスチャ貯蔵庫３ＤＯ−ＴＶは、前記アプリケーションサーバ（３Ｄ−ＡＳ）に動的テクスチャを転送することができる動的テクスチャ転送部ＤＴＦＰをさらに備える。
【００３７】
この転送部は、決定されたテクスチャをアプリケーションサーバ３ＤＯ−ＡＳにストリーミングすることができる。
【００３８】
テクスチャ貯蔵庫３ＤＯ−ＴＶの動的テクスチャ参照要求受信部ＤＴＲＱＲＰは、テクスチャ貯蔵庫３ＤＯ−ＴＶの入力端末でもある入力端末を有する。動的テクスチャ参照要求受信部ＤＴＲＱＲＰは、テクスチャ決定部ＤＴＤＰにさらに結合され、ＤＴＤＰは、テクスチャ保持部ＴＨＰにさらに結合される。
【００３９】
テクスチャ決定部ＤＴＤは、動的テクスチャ転送部ＤＴＦＰにさらに結合され、ＤＴＦＰは、テクスチャ貯蔵庫３ＤＯ−ＴＶの出力端末でもある出力端末を有する。
【００４０】
本発明の実行を説明するために、ユーザが、自分のクライアント装置、たとえばインターネットアクセスを有するパーソナルコンピュータや、無線インターネット接続を介してインターネットに結合された移動端末を使って、セカンドライフやワンダーランド、ＯｐｅｎＣｒｏｑｕｅ、Ｓｏｌｉｐｓｙｓまたは他の任意の３Ｄ仮想環境／世界のような３次元仮想環境３ＤＶＥをブラウズしており、両方の事例において、３次元仮想環境３ＤＶＥをブラウズするためにクライアントアプリケーションを使っていると仮定する。
【００４１】
ここで、このユーザは、この３次元仮想環境３ＤＶＥ、たとえばセカンドライフの中を歩き回っており、ユーザのアバター、たとえば３Ｄの人間のようなオブジェクトが、中国にある有名な紫禁城を表すオブジェクトに近づいているとさらに仮定する。セカンドライフのクライアントである仮想クライアントは、ユーザのアバターの座標を、アプリケーションサーバ３Ｄ−ＡＳに定期的に送信する。アバターが、ある一定の距離、たとえば紫禁城から５ｋｍ離れた所に達すると、アプリケーションサーバ３ＤＡＳは、紫禁城が、アバターから一定の距離内にあることを検出する。次いで、アプリケーションサーバは、距離算出部ＤＣＰを用いて、アバターと３次元オブジェクト３ＤＯとの間の距離、ここでは５ｋｍを、ユーザのアバターの座標および３次元オブジェクトの座標を使って算出する。この５ｋｍという距離は、３次元オブジェクトのオブジェクト参照とともに、動的テクスチャ参照要求部ＲＲＱＰを用いてテクスチャの参照を要求する際に使われる。
【００４２】
参照決定要求受信部ＲＲＱＲＰは次いで、オブジェクトの参照とともに５ｋｍという距離に基づいてテクスチャの参照を決定するための要求を受信する。動的テクスチャ参照決定部ＤＴＲＤＰは、３次元オブジェクトに適用するテクスチャの参照を、距離としての５ｋｍおよび３次元オブジェクトの参照を使って決定する。参照は、意図されたテクスチャ参照、すなわちＵＲＩｐｉｃｔｕｒｅ  ｏｆ  Ｆｏｒｂｉｄｄｅｎ  Ｃｉｔｙである紫禁城の写真への参照を見つけるために、テクスチャ参照保持部ＴＲＨＰ内を、距離＝５と、オブジェクト参照とで探索することによって決定される。参照送信部ＲＳＰは、決定されたテクスチャの参照、すなわちＵＲＩｄｅｐｉｃｔｕｒｅ  ｏｆ  Ｆｏｒｂｉｄｄｅｎ  Ｃｉｔｙをアプリケーションサーバ３Ｄ−ＡＳに送信する。
【００４３】
アプリケーションサーバ３Ｄ−ＡＳは、テクスチャ参照受信部ＲＲＰを用いて前記動的テクスチャ参照決定装置３ＤＯ−ＴＲＤＤから受信されたテクスチャ参照ＵＲＩｐｉｃｔｕｒｅ  ｏｆ  Ｆｏｒｂｉｄｄｅｎ  Ｃｉｔｙに基づく動的テクスチャを、動的テクスチャ要求部ＤＴＲＱＰをそれぞれ用いて要求する。
【００４４】
テクスチャ貯蔵庫３ＤＯ−ＴＶは続いて、動的テクスチャ参照要求受信部ＤＴＲＱＲＰを用いて、動的テクスチャ参照、すなわちｅ  ＵＲＩｐｉｃｔｕｒｅ  ｏｆ  Ｆｏｒｂｉｄｄｅｎ  Ｃｉｔｙをアプリケーションサーバ３Ｄ−Ａから受信する。
【００４５】
テクスチャ決定部ＤＴＤＰは、テクスチャ保持部ＴＨＰと協力して、紫禁城の写真のこのＵＲＩに基づいて、前記３次元オブジェクトに適用するための対応する動的テクスチャを決定する。テクスチャは、紫禁城の写真、紫禁城のスライドショー、紫禁城の歴史観、紫禁城のビデオクリップ、今後数日の天気予報などを特に含む、関連づけられたテクスチャを有する参照のリストを含むテクスチャ保持部ＴＨＰ内で、ＵＲＩｐｉｃｔｕｒｅ  ｏｆ  Ｆｏｒｂｉｄｄｅｎ  Ｃｉｔｙを使って探索される。
【００４６】
テクスチャ決定部ＤＴＤＰは、紫禁城の写真を取り出し、動的テクスチャ転送部ＤＴＦＰを用いて、アプリケーションサーバ３Ｄ−ＡＳに写真を送信する。
【００４７】
最終的に、動的テクスチャ受信部が、転送されたテクスチャを受信し、続いてアプリケーションサーバ３Ｄ−ＡＳのテクスチャ適用部が、受信されたテクスチャ、すなわち紫禁城の写真を、３次元オブジェクトに適用する。
【００４８】
ユーザのアバターが、紫禁城に近づき続け、たとえば４ｋｍに達した場合、同じメッセージフローが適用される。今度は、４ｋｍという距離および同じオブジェクト参照にそれぞれ基づいて、ＵＲＩｓｌｉｄｅｓｈｏｗ  Ｆｏｒｂｉｄｄｅｎ  Ｃｉｔｙが決定され、このＵＲＩに基づいて、「紫禁城のスライドショー」というテクスチャが、テクスチャ保持部ＤＴＨＰから決定され、続いてＤＴＨＰから取り出される。
【００４９】
紫禁城のスライドショーは、３次元オブジェクトに適用され、スライドは、テクスチャ保持部に格納されている、ＵＲＩ  ｓｌｉｄｅｓｈｏｗ  Ｆｏｒｂｉｄｄｅｎ  Ｃｉｔｙを使って取得された紫禁城の多くの写真とともに示される。
【００５０】
代替実施形態が、図２に示されている。本実施形態は、第１の実施形態との相違点を参照して記載されるが、相違点とは、テクスチャ参照決定装置３ＤＯ−ＴＲＤＤの参照送信部ＰＳＰが、テクスチャ貯蔵庫３ＤＯ−ＴＶの動的テクスチャ要求受信部ＤＴＲＲＱＲＰに直接結合されることである。
【００５１】
動的テクスチャ参照決定部を用いて決定されたテクスチャ参照は、アプリケーションサーバ３Ｄ−ＡＳにではなく、テクスチャ貯蔵庫３ＤＯ−ＴＶに直ちに転送される。続いて、参照に基づいて決定されたテクスチャは、アプリケーションサーバに直接、あるいはテクスチャ参照決定装置３ＤＯ−ＴＲＤＤを介して転送され得る。
【００５２】
最後に述べておくと、本発明の実施形態は、上では機能ブロックによって記載されている。上に挙げた、こうしたブロックの機能的な記載から、こうしたブロックの実施形態が、よく知られている電子構成要素でどのように製造され得るかが、電子装置を設計する当業者には明らかであろう。したがって、機能ブロックの内容の詳細なアーキテクチャは挙げられていない。
【００５３】
本発明の原理が、特定の機器との関連で上述されたが、この記述は、添付の特許請求の範囲において定義される、本発明の範囲に対する限定としてではなく例示として行われているに過ぎないことがはっきりと理解されよう。
【図１】
2013513145.tif 000003
【図２】
2013513145.tif 000004
【国際調査報告】
2013513145.tif 000005
2013513145.tif 000006